(57)【要約】【課題】設計変更の記録を容易にかつ少ないデータ量で残すことが可能な建築物設計支援装置の提供。【解決手段】入力部１１と記憶部１３と表示部１５とを備え、入力部１１を用いたユーザの操作に応じて、設計対象である建築物の構成要素を表示部１５に図形で表示することにより、表示部１５上に建築物の図面を作成する図面作成手段と、１以上の前記構成要素を操作対象とする前記操作のうち所定種類の操作について、前記操作対象を示す情報と操作内容を示す情報とを含む操作情報を、記憶部１３にテキストデータで保存する操作情報保存手段と、記憶部１３に保存されている操作情報に基づいて、操作対象と操作内容とを示す操作記録を表示部１５に表示する操作記録表示手段と、を備える建築物設計支援装置１。【選択図】図１
2012038084.tif 000002
【特許請求の範囲】
【請求項１】
入力部と記憶部と表示部とを備える建築物設計支援装置であって、
前記入力部を用いたユーザの操作に応じて、設計対象である建築物の構成要素を前記表示部に図形で表示することにより、前記表示部上に前記建築物の図面を作成する図面作成手段と、
１以上の前記構成要素を操作対象とする前記操作のうち所定種類の操作について、前記操作対象を示す情報と操作内容を示す情報とを含む操作情報を、前記記憶部にテキストデータで保存する操作情報保存手段と、
前記記憶部に保存されている前記操作情報に基づいて、前記操作対象と前記操作内容とを示す操作記録を前記表示部に表示する操作記録表示手段と、
を備えることを特徴とする建築物設計支援装置。
【請求項２】
前記操作記録表示手段が前記操作記録を選択可能に表示し、
選択された前記操作記録を出力する操作記録出力手段を備えることを特徴とする請求項１記載の建築物設計支援装置。
【請求項３】
操作記録を表示させる前記構成要素を選択する構成要素選択操作が可能とされ、
前記構成要素選択操作により前記構成要素が選択されたとき、前記操作記録表示手段が、当該選択された前記構成要素を操作対象とする前記操作記録のみを表示することを特徴とする請求項１または２記載の建築物設計支援装置。
【請求項４】
入力部と記憶部と表示部とを有したコンピュータを、
前記入力部を用いたユーザの操作に応じて、設計対象である建築物の構成要素を前記表示部に図形で表示することにより、前記表示部上に前記建築物の図面を作成する図面作成手段、
１以上の前記構成要素を操作対象とする前記操作のうち所定種類の操作について、前記操作対象を示す情報と操作内容を示す情報とを含む操作情報を、前記記憶部にテキストデータで保存する操作情報保存手段、
及び、
前記記憶部に保存されている前記操作情報に基づいて、前記操作対象と前記操作内容とを示す操作記録を前記表示部に表示する操作記録表示手段
として機能させることを特徴とする建築物設計支援プログラム。
【発明の詳細な説明】
【技術分野】
【０００１】
本発明は、コンピュータを用いて建築物の設計を支援する建築物設計支援装置及び建築物設計支援プログラムに関する。
【背景技術】
【０００２】
現在、ビル等の建築物については、避難安全検証法に準拠した避難安全性能の検証が求められており、かかる検証を容易にする装置として、出願人は下記特許文献１に避難時間計算装置を開示している。この避難時間計算装置は、部屋、扉、廊下、避難出口のオブジェクトを含む建築物の平面図情報を作成あるいは変更するＣＡＤ手段と、扉の避難方向決定手段と、建築物の平面図情報と扉の避難方向に基づき避難経路を決定する避難経路計算手段と、避難経路に沿って避難時間を計算する避難時間計算手段と、全ての部屋を順次火災室に設定して避難時間が最大の経路を求める最大避難時間計算手段と、建築物の平面図情報に基づき煙降下時間を計算する煙降下時間計算手段とを有している。この避難時間計算装置によれば、正確な避難時間と煙降下時間の計算が自動的に行われるため、容易に避難安全性能の検証を行うことができる。
【先行技術文献】
【特許文献】
【０００３】
【特許文献１】特許第４３７２４５７号公報
【発明の概要】
【発明が解決しようとする課題】
【０００４】
上述した避難安全性能の検証を行った結果、性能が基準を満たさない場合には、基準を満たすまで設計変更と検証とを繰り返すこととなる。設計変更を行った場合には、どの部分をどのように変更したのかを記録に残し、施主、審査機関、施工会社等に伝えることが重要であるが、繰り返し設計変更を行った場合、それらの正確な記録を残すことは困難であり、また、細かい設計変更の度にＣＡＤデータ等の図面データを残すとすると、データ量が多くなってコンピュータの負担が過大となるという問題があった。
【０００５】
本発明は、上述した問題を解決するものであり、設計変更の記録を容易にかつ少ないデータ量で残すことが可能な建築物設計支援装置を提供することを目的とする。
【課題を解決するための手段】
【０００６】
本発明の建築物設計支援装置は、入力部と記憶部と表示部とを備える建築物設計支援装置であって、前記入力部を用いたユーザの操作に応じて、設計対象である建築物の構成要素を前記表示部に図形で表示することにより、前記表示部上に前記建築物の図面を作成する図面作成手段と、１以上の前記構成要素を操作対象とする前記操作のうち所定種類の操作について、前記操作対象を示す情報と操作内容を示す情報とを含む操作情報を、前記記憶部にテキストデータで保存する操作情報保存手段と、前記記憶部に保存されている前記操作情報に基づいて、前記操作対象と前記操作内容とを示す操作記録を前記表示部に表示する操作記録表示手段と、を備えることを特徴とする。
【０００７】
ここで、前記操作記録表示手段が前記操作記録を選択可能に表示し、選択された前記操作記録を出力する操作記録出力手段を備えることが好ましい。
【０００８】
また、操作記録を表示させる前記構成要素を選択する構成要素選択操作が可能とされ、前記構成要素選択操作により前記構成要素が選択されたとき、前記操作記録表示手段が、当該選択された前記構成要素を操作対象とする前記操作記録のみを表示することが好ましい。
【０００９】
本発明の建築物設計支援プログラムは、入力部と記憶部と表示部とを有したコンピュータを、前記入力部を用いたユーザの操作に応じて、設計対象である建築物の構成要素を前記表示部に図形で表示することにより、前記表示部上に前記建築物の図面を作成する図面作成手段、１以上の前記構成要素を操作対象とする前記操作のうち所定種類の操作について、前記操作対象を示す情報と操作内容を示す情報とを含む操作情報を、前記記憶部にテキストデータで保存する操作情報保存手段、及び、前記記憶部に保存されている前記操作情報に基づいて、前記操作対象と前記操作内容とを示す操作記録を前記表示部に表示する操作記録表示手段として機能させることを特徴とする。
【発明の効果】
【００１０】
本発明によれば、ユーザが行った所定種類の操作について、操作対象を示す情報と操作内容を示す情報とを含む操作情報が、記憶部にテキストデータで保存され、記憶部に保存されている操作情報に基づいて、ユーザが行った所定種類の操作についての操作対象と操作内容とを示す操作記録が、表示部に表示されるので、設計変更の記録を容易にかつ少ないデータ量で残して、その記録を閲覧することが可能である。
【図面の簡単な説明】
【００１１】
【図１】本発明の一実施形態に係る建築物設計支援装置のブロック構成図である。
【図２−１】同建築物設計支援装置の図面作成・検証処理における動作を示すフローチャートである。
【図２−２】同建築物設計支援装置の図面作成・検証処理における動作を示すフローチャートである。
【図３】同建築物設計支援装置の操作記録出力処理における動作を示すフローチャートである。
【図４】同建築物設計支援装置に表示される編集画面の図である。
【図５】同建築物設計支援装置に表示される居室の詳細情報パネルの図であり、（ａ）は最初に表示された状態、（ｂ）は名称を変更した状態、（ｃ）は平均天井位置を変更した状態を示す。
【図６】図４の画面から編集を進めた状態の編集画面の図である。
【図７】図６の画面から編集を進めた状態の編集画面の図である。
【図８】図７の画面から編集を進めた状態の編集画面の図である。
【図９】図８の画面から移行した検証画面の図である。
【図１０】図９の画面において検証を行った結果を示す検証画面の図である。
【図１１】検証画面に表示される検証結果パネルの図である。
【図１２】同建築物設計支援装置に表示される扉の詳細情報パネルの図であり、（ａ）は最初に表示された状態、（ｂ）は防煙性能を変更した状態を示す。
【図１３】さらに検証を行った結果を示す検証画面の図である。
【図１４】同建築物設計支援装置に表示される操作記録パネルの図である。
【図１５】同建築物設計支援装置が出力した操作記録リストの図である。
【図１６】物件ファイルに保存されている操作情報とオブジェクトＩＤのイメージである。
【図１７】編集画面において構成要素についてのメニューを表示させた図である。
【図１８】選択された構成要素についての操作記録のみを表示した操作記録パネルの図である。
【発明を実施するための形態】
【００１２】
以下、本発明の一実施形態を図面に基づいて説明する。
【００１３】
建築物設計支援装置１（以下、「装置１」と略す。）は、コンピュータからなり、図１に示すように、入力部１１、演算処理部１２、記憶部１３、通信インタフェース部１４、及び、表示部１５を備えている。装置１には、ＯＳ（オペレーティング・システム）とそのＯＳ上で動作する建築物設計支援プログラムがインストールされている。
【００１４】
建築物設計支援プログラムは、装置１を、入力部１１を用いたユーザの操作に応じて、設計対象である建築物の構成要素を表示部１５に図形で表示することにより、表示部１５上に建築物の図面を作成する図面作成手段、１以上の構成要素を操作対象とする操作のうち所定種類の操作について、操作対象を示す情報と操作内容を示す情報とを含む操作情報を、記憶部１３にテキストデータで保存する操作情報保存手段、記憶部１３に保存されている操作情報に基づいて、操作対象と操作内容とを示す操作記録を、表示部１５に選択可能に表示する操作記録表示手段、選択された操作記録を出力する操作記録出力手段、及び、作成した図面に基づいて、設計対象である建築物の避難安全性能を検証する検証手段として機能させるためのプログラムである。すなわち、装置１は、建築物の図面を作成し、その図面に基づいて建築物の避難安全性能を検証する装置として構成されている。なお、「図面を作成」とは、図面を新規作成する場合のみならず、一旦作成した図面を変更する場合も含むものとする。また、建築物設計支援プログラムは、装置１において、操作記録を表示させる構成要素を選択する構成要素選択操作を可能とし、構成要素選択操作により構成要素が選択されたとき、前記操作記録表示手段は、記憶部１３に保存されている操作情報に基づいて、選択された構成要素を操作対象とする操作記録のみを表示する。
【００１５】
また、建築物の構成要素（オブジェクト）としては、居室、廊下、附室、吹抜、バルコニー、その他の室、コーナー、防煙区画、障害物、扉、シャッター、窓、自然排煙窓、スモークタワー、機械排煙、機械給気、直通階段、階段、竪穴、及び、エレベーターシャフトがあるものとし、構成要素に対してユーザが実行可能な操作としては、配置、変形、削除、属性変更があるものとする。なお、属性変更とは、後述する詳細情報パネル３０、５８等の詳細情報パネル（構成要素の詳細情報を表示するパネル）上で行われる変更のうち、変形（形状や寸法の変更）を伴わないものをいう。そして、構成要素の配置、削除、移動、変形、及び、属性変更（但し、フォントの変更を除く。）の各操作は、操作情報を保存すべき操作として予め定められた所定種類の操作（以下、「要記録操作」という。）とする。なお、後述する階あるいは全館に対する検証計算実行操作も、要記録操作とする。このように、ユーザの操作の対象となる操作対象には、例えば居室や扉といった個々の構成要素と、例えば１階部分や建物全体といった複数の構成要素からなるものとがある。すなわち、１以上の構成要素が操作対象となり得る。
【００１６】
入力部１１は、マウス等のポインティング・デバイス、キーボード等から構成されて、ユーザの操作に応じて各種情報や各種指令等を演算処理部１２に入力する。なお、「入力」とは、ユーザが入力部１１を用いて入力する場合のみならず、装置１が通信インタフェース部１４を介して他のコンピュータ等の装置から受信する場合や、記憶部１３にセットされた記録媒体から読み込む場合も含むものとする。すなわち、装置１に各種情報や各種指令を与える全ての行為をいう。また、「画面に入力」というときは、ユーザが入力部１１を用いて画面に入力する場合のみならず、装置１が、例えば記憶部１３から読み出した情報や演算結果等を画面に入力する場合（この場合には、通常、画面に表示するとともに入力することとなる。）や、ある画面から他の画面に情報を転記する場合を含むものとする。
【００１７】
演算処理部１２は、ＣＰＵ、ＣＰＵのワークエリアとなるＲＡＭ、固定データを記憶したＲＯＭ等から構成されている。演算処理部１２は、建築物設計支援プログラムに従って動作することにより、入力部１１、記憶部１３、通信インタフェース部１４、表示部１５と協働して、上記図面作成手段、操作情報保存手段、操作記録表示手段、操作記録出力手段、及び、検証手段として機能する。
【００１８】
記憶部１３は、半導体メモリ、ハードディスク装置、コンパクト・ディスク装置等から構成され、記憶部１３には、ユーザが入力した情報に基づいて、設計対象である建築物（物件）の図面情報、操作情報等を格納する物件ファイルが作成される。
【００１９】
通信インタフェース部１４は、通信回線を介して、装置１と、他の装置（プリンタや他のコンピュータ等）とを接続するときのインタフェースとなる部分である。
【００２０】
表示部１５は、液晶ディスプレイ等から構成され、演算処理部１２からの表示命令に応じて各種画面を表示する。なお、「出力」とは、表示のみならず、プリンタに出力する（すなわち、印刷させる）場合、記憶部１３にセットされた記録媒体に書き込む等、記憶部１３内のファイルに書き込む場合、及び、他のコンピュータに送信する場合も含むものとする。
【００２１】
以上のように構成された装置１の動作について、ある建築物の１階部分について図面を作成して検証し、その操作記録を出力する場合を例に、図２−１、２−２、３のフローチャートに基づいて説明する。なお、図２−１、２−２、３において破線で囲まれた部分は、ユーザによる操作を示す。
【００２２】
［図面作成・検証処理］ユーザが、装置１において建築物設計支援プログラムを起動し、表示部１５に表示されたメニューから「新規作成」を選択すると、装置１は物件登録画面（図示せず。）を表示する。この物件登録画面において、ユーザは、設計対象である建築物について、物件名、用途、階数、基準階高、基準天井高さ等の全体情報を入力する。ここでは、物件名を「○○ビル新築工事」、用途を「事務所」、階数を「地下０階、地上３階」、基準階高を「3,300ｍｍ」、基準天井高さを「2,500ｍｍ」とする。なお、ユーザは図面の縮尺も設定できる。そして、ユーザがファイル名を指定して登録（保存）操作を行うと、装置１は、記憶部１３に、ユーザが指定したファイル名を付した物件「○○ビル新築工事」の物件ファイルを作成し、入力された全体情報及び縮尺をその物件ファイルに格納する。
【００２３】
次に、ユーザが編集画面を表示するための操作を行うと、装置１は編集画面を表示する（図２−１のステップＳ０１）。編集画面は、建築物の各階の平面図（レイアウト図）を作成するための画面である。図４に示すように、編集画面には、保存ボタン２１、検証開始ボタン２２、操作レコードボタン２６、編集ボタン２３ａ、２３ｂ、２３ｃ、２３ｄ、２３ｅ、（一括して言及するときは、「編集ボタン２３」と表記する。）及び、終了ボタン２４が設けられるとともに、全体情報で入力された階数に応じて、階ボタン２７ａ、２７ｂ、２７ｃが設けられ、さらに、レイアウトシート２５が設けられている。
【００２４】
なお、図４はレイアウトシート２５に既に「室１」が配置された状態を示すが、当初レイアウトシート２５は空白とされている。また、編集画面において、ユーザがＤＸＦ形式の平面図の取り込み操作を行うと、装置１はその平面図をレイアウトシート２５上に薄く表示させるので、ユーザはその平面図を下絵として用いることができるが、ここでは、かかる取り込み操作を行わないものとする。
【００２５】
編集画面において、ユーザが、「１Ｆ」の階ボタン２７ａを選択すると、１階用のレイアウトシート２５が表示される。すなわち、レイアウトシート２５は階数分設けられ、階ボタン２７ａ、２７ｂ、２７ｃのクリックにより、各階用のレイアウトシート２５が切り替え表示される。
【００２６】
次に、ユーザが、編集画面において編集ボタン２３のクリック等、編集操作を行うと（Ｓ０２）、装置１は、その操作に応じた編集処理を実行する（Ｓ０３）。ここでは、ユーザが編集操作として居室の配置操作を行ったとする。具体的には、室を配置するための編集ボタン２３ａのクリックを行い、表示された室の種類から「居室」を選択して、レイアウトシート２５上で、その居室の対角線上の２点の配置位置を順にクリックする操作を行ったとする（Ｓ０２）。なお、図中、符号４０はカーソルを示す。レイアウトシート２５上のカーソル４０は、十字形をなしている。
【００２７】
上記居室の配置操作に応じて、装置１は、図４に示すように、クリックされた２点を対角線上の頂点とする矩形状の居室を示す図形４１（以下、「居室４１」と表記する。）を、レイアウトシート２５上に表示するとともに、居室４１の詳細情報として、名称「室１」、面積「２００ｍ2」、用途「事務室」、在室人数「２５人」、在館者密度（ｐ）「０．１２５人／ｍ2」、積載可燃物発熱量（ｑｌ）「５６０ＭＪ／ｍ2」、内装種類「不燃材」、及び、平均天井高さ（ＣＨ）「2,500ｍｍ」を表示する（Ｓ０３）。ここで、名称は自動的に定めたものであり、面積は、レイアウトシート２５上の居室４１の大きさと、設定されている縮尺とから算出されたものである。また、用途、在館者密度、及び、内装種類は、居室に対して標準（デフォルト）で予め定められているものであり、在室人数は在館者密度と面積とから算出され、積載可燃物発熱量は用途に応じて予め定められ、平均天井高さは基準天井高さと同一とする。
【００２８】
なお、居室４１の詳細情報には、上述したレイアウトシート２５上に表示されるもの以外のものもあり、居室４１の詳細情報は、図５に示すように詳細情報パネル３０に表示される。これらの詳細情報は、入力された情報から求められ、或いは、標準で予め定められているものであり、後述するように詳細情報パネル３０上で変更可能である。装置１は、配置した構成要素の図面情報として、その構成要素が配置された階、種類（ここでは、居室）、所定のポイント（居室の場合は、各頂点）の座標値、及び、詳細情報を、記憶部１３に設けた物件「○○ビル新築工事」用の一時ファイルに保存する。すなわち、装置１は、編集処理として、構成要素を示す図形及び名称等のレイアウトシート２５への表示と、図面情報の一時ファイルへの保存を行う。
【００２９】
また、装置１は、新規配置した構成要素毎に識別情報（以下、「オブジェクトＩＤ」という。）を定め、そのオブジェクトＩＤを図面情報と関連付けて一時ファイルに保存する。オブジェクトＩＤは、構成要素毎に一意になるように定められ、ここではテキストデータとするが、データ量が少ないものであれば他の形式、例えばバイナリデータであってもよい。居室４１のオブジェクトＩＤは「０００１」とする。
【００３０】
そして、装置１は、ユーザが行った操作が、要記録操作であれば、その操作対象と操作内容とを含む操作情報を、テキストデータで一時ファイルに書き出す（Ｓ０４）。居室の配置操作は、要記録操作であるので、装置１は、その操作情報として、操作日時「2010/6/24 10:20」、階「１Ｆ」、名称「室１」、及び、変更項目「配置」をテキストデータで一時ファイルに書き出す。なお、階と名称とが操作対象を示し、変更項目が操作内容を示す。また、装置１は、操作対象である構成要素のオブジェクトＩＤ（ここでは、「０００１」）を、操作情報に関連付けて（ここでは、操作情報と共に）一時ファイルに書き出す。
【００３１】
次に、ユーザが編集操作として居室の名称変更操作と平均天井位置変更操作を行ったとする。具体的には、ユーザがレイアウトシート２５上で居室４１を選択して右クリックし、表示されたメニュー４７（図１７参照）から「詳細」を選択すると、装置１は、図５（ａ）に示すように、レイアウトシート２５上に居室４１の詳細情報パネル３０を表示する。詳細情報パネル３０には、名称、検索キー、面積、用途等の居室４１の詳細情報が表示されており、各詳細情報は変更可能である。なお、面積、平均天井位置、平均天井高さ（Hroom）、床面最高位置、床面最低位置、天井最高位置、及び、天井面積の変更は、変形を伴うものであるため、これらの変更操作は変形操作に相当し、詳細情報パネル３０上でのこれら以外の変更操作は、属性変更操作に相当する。この詳細情報パネル３０において、ユーザが、図５（ｂ）に示すように、名称「室１」を「事務室」に変更し、さらに図５（ｃ）に示すように、平均天井位置（その階の基準面からの平均天井位置）「2,500ｍｍ」を「2,700ｍｍ」に変更する操作を行ったとする（Ｓ０２）。
【００３２】
すると、装置１は、平均天井位置と床面最高位置とから検証計算で用いられる平均天井高さ（Hroom）を算出し、また、平均天井位置を天井最高位置として、それらを詳細情報パネル３０に表示する。なお、天井に段差がある場合には、ユーザは天井最高位置のチェックボックスにチェックを入れてその数値を変更するが、ここでは、天井には段差がないものとする。また、床面に段差がある場合には、ユーザはその階の基準面からの床面最高位置及び／又は床面最低位置を入力するが、ここでは、床面には段差がないものとする。
【００３３】
そして、装置１は、編集処理として、図４のレイアウトシート２５上に表示された「室１」を「事務室」に、平均天井高さ（平均天井位置）「2,500ｍｍ」を「2,700ｍｍ」に変更するとともに、一時ファイルに保存している居室４１の図面情報のうち、名称、平均天井位置、平均天井高さ、及び、天井最高位置を変更する処理を行う（Ｓ０３）。
【００３４】
居室の名称変更操作、平均天井位置変更操作は、それぞれ、居室の属性変更操作、変形操作であり、要記録操作であるため、装置１は、操作日時「2010/6/24 10:21」、階「１Ｆ」、名称「事務室」、変更項目「室名」、変更前情報「室１」、及び、変更後情報「事務室」を、名称変更操作の操作情報として、操作日時「2010/6/24 10:22」、階「１Ｆ」、名称「事務室」、変更項目「平均天井高さ」、変更前情報「2500ｍｍ」、及び、変更後情報「2700ｍｍ」を、平均天井位置変更操作の操作情報として、テキストデータで一時ファイルに書き出す（Ｓ０４）。なお、階と名称とが操作対象を示し、変更項目と変更前情報と変更後情報とが操作内容を示す。また、これらの操作は、オブジェクトＩＤ「０００１」が付された居室４１に対するものであるので、これらの操作情報は、オブジェクトＩＤ「０００１」と共に、一時ファイルに書き出される。このように、同じ構成要素に対するものであっても、操作対象を示す情報は、「１Ｆ」及び「室１」の場合と、「１Ｆ」及び「事務室」の場合がある等、異なり得るが、オブジェクトＩＤは、同じ構成要素に対しては同じもの（ここでは、「０００１」）となる。
【００３５】
次に、ユーザが編集操作として扉の配置操作を行ったとする。具体的には、建具を配置するための編集ボタン２３ｂのクリックを行い、表示された建具の種類から「扉」を選択して、表示されたコマンドバー（図示せず）において扉の種類（ここでは、片開き扉とする。）と高さを指定し、レイアウトシート２５に表示されている「事務室」の壁を示す線上で、扉の両端となる２点の配置位置を順にクリックし、さらに扉を開く方向をクリックにより指定する操作を行ったとする（Ｓ０２）。
【００３６】
すると、装置１は、編集処理として、図６に示すように、クリックされた２点を両端とする扉を示す図形４２（以下、「扉４２」と表記する。）を、レイアウトシート２５上に表示するとともに、自動的に定めた名称「Ｄ１」、扉４２の両端位置から算出した幅、及び、上記コマンドバーで指定された高さを表示し、扉４２の図面情報として、配置された階、種類（ここでは、扉）、所定のポイント（片開き扉の場合は、両端点）の座標値、及び、後述する詳細情報パネル５８に表示されるような詳細情報（所属室名、名称、構造、幅、有効幅、高さ等）を、一時ファイルに保存する処理を行う（Ｓ０３）。また、扉４２のオブジェクトＩＤを定め（ここでは、「０００２」とする。）、図面情報に関連付けて一時ファイルに格納する。
【００３７】
装置１は、扉の配置操作は、要記録操作であるため、操作日時「2010/6/24 10:23」、階「１Ｆ」、名称「Ｄ１」、所属室名「事務室」、及び、変更項目「配置」を、操作情報として、オブジェクトＩＤ「０００２」と共に、テキストデータで一時ファイルに書き出す（Ｓ０４）。なお、階と名称とが操作対象を示し、変更項目が操作内容を示す。また、所属室とは、扉４２の扉部分が所属する室をいう。
【００３８】
ここで、一旦、ユーザは編集を終えるものとし、保存ボタン２１をクリックする保存操作を行う（Ｓ０５）。すると、装置１は、一時ファイルに保存している図面情報、すなわち、図６の状態の図面の図面情報、操作情報、及び、オブジェクトＩＤを、物件「○○ビル新築工事」の物件ファイルに保存する（Ｓ０６）。なお、装置１は、操作情報をテキストデータのままで物件ファイルに保存する。また、オブジェクトＩＤは、そのオブジェクトＩＤが付された構成要素の図面情報及び操作情報に関連付けられた状態で、物件ファイルに保存される。そして、ユーザが終了ボタン２４をクリックする終了操作を行うと（Ｓ０７）、装置１は、「保存する」或いは「保存しない」を選択可能に表示し、保存するか否かの選択をユーザに求める（Ｓ０８）。ここでは既に保存を行っているので、ユーザは「保存しない」を選択する。すると、装置１は、編集画面を閉じ、図面作成・検証処理を終える。なお、ユーザが「保存する」を選択すると、装置１は、一時ファイル中の図面情報、操作情報及びオブジェクトＩＤを物件「○○ビル新築工事」の物件ファイルに保存して（Ｓ０９）、編集画面を閉じ、図面作成・検証処理を終える。
【００３９】
ユーザは、物件「○○ビル新築工事」の図面の編集を再開する場合、装置１において建築物設計支援プログラムを起動し、表示部１５に表示されたメニューから「開く」を選択して、開くファイルとして物件「○○ビル新築工事」の物件ファイルを指定する。すると、装置１は、物件「○○ビル新築工事」の物件ファイルから図面情報、操作情報及びオブジェクトＩＤを一時ファイルに読み出して、図面情報に基づいて図６に示す状態の編集画面を表示する。
【００４０】
ここで、ユーザが、編集操作として廊下の配置操作を行ったとする。具体的には、室を配置するための編集ボタン２３ａのクリックを行い、表示された室の種類から「廊下」を選択して、レイアウトシート２５上で、その廊下の対角線上の２点の配置位置を順にクリックする操作を行ったとする（Ｓ０２）。
【００４１】
すると、装置１は、編集処理として、図７に示すように、クリックされた２点を対角線上の頂点とする矩形状の廊下を示す図形４３（以下、「廊下４３」と表記する。）をレイアウトシート２５上に表示するとともに、自動的に定めた名称「廊下１」、レイアウトシート２５上の廊下４３の大きさと縮尺から算出した面積「３０ｍ2」、標準で定められている用途「廊下」及び在館者密度「０人／ｍ2」、算出した在室人数「０人」、基準天井高さからなる平均天井高さ「2,500ｍｍ」等を表示し、廊下４３が配置された階、種類（ここでは、廊下）、所定のポイント（廊下の場合は各頂点）の座標値、及び、詳細情報を、廊下４３の図面情報として、一時ファイルに保存する処理を行う（Ｓ０３）。なお、廊下４３の詳細情報には、レイアウトシート２５上に表示された情報以外の情報もあり、詳細情報パネル３０と同様の詳細情報パネルで表示される。また、廊下４３のオブジェクトＩＤを定め（ここでは、「０００３」とする。）、図面情報に関連付けて一時ファイルに格納する。
【００４２】
また、廊下の配置操作は、要記録操作であるので、装置１は、その操作情報として、操作日時「2010/6/25 14:28」、階「１Ｆ」、名称「廊下１」、及び、変更項目「配置」を、オブジェクトＩＤ「０００３」と共に、テキストデータで一時ファイルに書き出す（Ｓ０４）。なお、階と名称とが操作対象を示し、変更項目が操作内容を示す。
【００４３】
次に、ユーザが、上述した居室の名称変更操作と同様にして、廊下４３の詳細情報パネルを表示させて、名称「廊下１」を「廊下」に変更すると（Ｓ０２）、装置１は、図７の「廊下１」を「廊下」に変更する編集処理を行うとともに（Ｓ０３）、操作日時「2010/6/25 14:29」、階「１Ｆ」、名称「廊下」、変更項目「室名」、変更前情報「廊下１」、及び、変更後情報「廊下」を、操作情報として、オブジェクトＩＤ「０００３」と共に、テキストデータで一時ファイルに書き出す（Ｓ０４）。
【００４４】
また、ユーザが、上述した扉４２の配置操作と同様にして、図８に示すように廊下４３に扉を示す図形４４（以下、「扉４４」と表記する。）を配置する操作を行うと（Ｓ０２）、装置１は、レイアウトシート２５上に扉４４を表示し、その図面情報を、扉４４に対して定めたオブジェクトＩＤ「０００４」に関連付けて、一時ファイルに保存する編集処理を行うとともに（Ｓ０３）、操作日時「2010/6/25 14:29」、階「１Ｆ」、名称「Ｄ２」、所属室名「廊下」、及び、変更項目「配置」を、操作情報として、オブジェクトＩＤ「０００４」と共に、テキストデータで一時ファイルに書き出す（Ｓ０４）。
【００４５】
扉４４は地上への出口であり、ユーザはその旨を入力するために、扉４４を選択して右クリックする。すると、装置１は、扉４４の詳細情報パネルを表示する。この詳細情報パネルには、「地上への出口」であることを指定するためのチェックボックスが設けられており（図１２参照）、ユーザがそのチェックボックスにチェックを入力すると（Ｓ０２）、装置１に扉４４が地上への出口である旨が入力され、装置１は、一時ファイルに保存している扉４４の図面情報のうち、地上への出口についての情報を、「オフ」から「オン」に変更する（Ｓ０３）。また、扉の属性変更操作は、要記録操作であるため、装置１は、操作日時「2010/6/25 14:30」、階「１Ｆ」、名称「Ｄ２」、所属室「廊下」、変更項目「地上への出口」、変更前情報「オフ」、及び、変更後情報「オン」を、操作情報として、オブジェクトＩＤ「０００４」と共に、テキストデータで一時ファイルに書き出す（Ｓ０４）。
【００４６】
さらに、ユーザが、上述した居室４１及び扉４２の場合と同様にして、図８に示すように、居室を示す図形４５（以下、「居室４５」と表記する。）を配置してその名称を「応接室」に変更し、扉を示す図形４６（以下、「扉４６」と表記する。）を配置する操作を行うと（Ｓ０２）、装置１は、ユーザの操作に応じた編集処理を行う（Ｓ０３）。また、居室４５、扉４６に対してそれぞれオブジェクトＩＤ「０００５」、「０００６」を定め、図面情報に関連付けて一時ファイルに保存する。そして、ユーザが行った編集操作の操作情報を、それぞれオブジェクトＩＤと共に、テキストデータで一時ファイルに書き出す（Ｓ０４）。
【００４７】
以上でユーザは１階部分の平面図の作成を終えたので、次に、１階部分の避難安全性能の検証を行うものとする。ユーザは、図８に示す編集画面において、検証開始ボタン２２をクリックする検証画面表示操作を行う（Ｓ１０）。すると、装置１は、図９に示す検証画面を表示する（図２−２のステップＳ１１）。
【００４８】
検証画面には、編集画面ボタン５１と検証計算ボタン５２と終了ボタン５３とレイアウトシート５４とが設けられ、その検証画面に切り替わる直前の編集画面のレイアウトシート２５上に表示されていた図面（ここでは、図８に示す図面）と同じ図面が、レイアウトシート５４上に表示されている。この検証画面において、ユーザが検証計算ボタン５２をクリックし、表示された計算設定ダイアログボックス（図示せず）において、「階検証」（その階のみの検証）か「全館検証」（全館の検証）かを指定して所定のボタンをクリックする検証計算実行操作を行うと（Ｓ１２）、装置１は、レイアウトシート５４上に表示されている図面の図面情報に基づいて、扉の避難方向を決定し、避難経路を計算し、避難時間と煙降下時間とを計算して、それらの時間に基づいて、煙が降下してくるまでに避難可能か否かを判定（すなわち、避難安全性能を検証）する検証処理を行う（Ｓ１３）。なお、ここでは、「階検証」すなわち１階部分のみの検証（判定）とする。扉の避難方向の決定、避難経路の計算、避難時間の計算、及び、煙降下時間の計算については、特許文献１に詳説されているので、ここでは省略する。
【００４９】
検証計算実行操作は要記録操作であるので、装置１は、その操作情報として、操作日時「2010/6/25 14:34」、検証対象となった階「１Ｆ」、変更項目「検証計算実行」、変更前情報「０」、及び、変更後情報「１」を、テキストデータで一時ファイルに書き出す（Ｓ１４）。なお、階が操作対象を示し、変更項目、変更前情報、及び、変更後情報が、操作内容を示す。変更前情報、変更後情報は、それぞれ、検証計算実行前の検証計算実行回数、検証計算実行後の検証計算実行回数である。
【００５０】
装置１は、上記検証の結果を図１０、１１に示すように表示する。詳しくは、装置１は、図１０に示すように、レイアウトシート５４上の図面に各室からの避難経路を矢印で示すとともに、検証ログパネル５６を表示する。検証ログパネル５６には、階の判定がＯＫ（避難可能）かＮＧ（避難不可能）かがメッセージ５７で表示され、図１０ではＮＧとされている。
【００５１】
ユーザが、階の判定がＮＧの旨のメッセージ５７をダブルクリックすると、装置１は、図１１に示す検証結果パネル６０を表示する。検証結果パネル６０には、判定した階が欄６１に、判定結果が欄６２に、最長階避難時間が欄６３に、最短階煙降下時間が欄６４に表示されている。なお、最長階避難時間とは、出火室となり得る室を順次出火室として計算した階避難時間（その階からの避難時間）のうちの最長のものであり、最短階煙降下時間とは、出火室となり得る室を順次出火室として計算した階煙降下時間（その階における煙降下時間）のうちの最短のものである。そして、リスト６５には、出火室となり得る室をそれぞれ出火室としたときの煙の伝播経路（出火室で発生した煙が屋外または直通階段に出るまでの経路）が欄６６に表示されるとともに、その伝播経路における出火室、その伝播経路における到達室（屋外または直通階段に出る直前の室）、その到達室に煙が降下するまでの煙降下時間（Ts）、及び、その伝播経路における伝播室数（出火室で発生した煙が伝播する室数）が、表示されている。
【００５２】
なお、ユーザが上述した計算設定ダイアログボックスにおいて、検証結果を出力する旨と出力先のファイルとを指定しておくと、装置１は検証結果をそのファイルに出力する。
【００５３】
図１１の例では、出火室となり得る室は「事務室」と「応接室」であり、伝播経路は、出火室が「事務室」の場合、「事務室（Ｄ１）＞廊下（Ｄ２）≫屋外」（すなわち、「事務室」から「Ｄ１」を経て「廊下」に伝播し、「廊下」から「Ｄ２」を経て屋外へ出る経路）であり、出火室が「応接室」の場合、「応接室（Ｄ３）＞廊下（Ｄ２）≫屋外」（すなわち、「応接室」から「Ｄ３」を経て「廊下」に伝播し、「廊下」から「Ｄ２」を経て屋外へ出る経路）の２つの経路である。したがって、リスト６５には、それらの２つの経路が欄６６に表示されるとともに、各経路における出火室、到達室、煙降下時間、及び、伝播室数が表示されている。そして、それら２つの経路の煙降下時間のうち短い方が、欄６４に表示されている。
【００５４】
ここで、「応接室（Ｄ３）＞廊下（Ｄ２）≫屋外」で示された伝播経路における煙降下時間は、最長階避難時間（ここでは、「事務室」→「Ｄ１」→「廊下」→「Ｄ２」→屋外という避難経路における避難時間）よりも短い。このように、煙降下時間が最長階避難時間よりも短い伝播経路については、装置１は、リスト６５において赤色で示し、それ以外の伝播経路については黒色で示す。赤色で示された伝播経路がある場合には、安全に避難可能とするため、その伝播経路の煙降下時間を引き延ばす、最長階避難時間を短縮する等の対策が必要である。
【００５５】
ここでは、ユーザは、煙降下時間を引き延ばすために、扉４６の防煙性能を上げることとし、検証画面のレイアウトシート５４上で扉４６（すなわち、「Ｄ３」）を選択して右クリックし、図１２（ａ）に示すようにレイアウトシート５４上に表示された扉４６の詳細情報パネル５８において、図５（ｂ）に示すように、防煙性能を「その他」から「第一号」に変更する属性変更操作を行ったとする（Ｓ１５）。すると、装置１は、一時ファイルに保存している扉４６の図面情報のうち防煙性能を「第一号」に変更する属性変更処理を行うとともに（Ｓ１６）、かかる属性変更操作は要記録操作であるため、操作情報として、操作日時「2010/6/25 14:35」、階「１Ｆ」、名称「Ｄ３」、所属室「応接室」、変更項目「防煙性能」、変更前情報「その他」、及び、変更後情報「第一号」を、扉４６のオブジェクトＩＤ「０００６」と共に、テキストデータで一時ファイルに書き出す（Ｓ１７）。なお、階及び名称が、操作対象を示し、変更項目、変更前情報、及び、変更後情報が、操作内容を示す。
【００５６】
なお、検証画面においては、属性変更操作は行えるが、配置、削除、移動、及び、変形の各操作は行えない。検証画面で行えない操作を行う場合、ユーザは、編集画面ボタン５１をクリックする編集画面表示操作を行う（Ｓ１８）。すると、装置１は、レイアウトシート５４上の図面をレイアウトシート２５上に表示した（但し、避難経路は表示されない）編集画面を表示するので（Ｓ０１）、ユーザはその編集画面において操作を行う。
【００５７】
扉４６の属性変更操作は編集画面でも行えるが、ここでは、上述したように検証画面で行うものとする。そして、再度ユーザが検証計算実行操作を行うと（Ｓ１２）、装置１は、扉４６の防煙性能が変更された後の図面情報に基づいて、検証処理を行うとともに（Ｓ１３）、操作情報として、操作日時「2010/6/25 14:36」、検証対象となった階「１Ｆ」、変更項目「検証計算実行」、変更前情報「１」、及び、変更後情報「２」を、テキストデータで一時ファイルに書き出す（Ｓ１４）。
【００５８】
装置１は、２回目の検証の結果を、図１３に示すように表示する。図１３の検証ログパネル５６では、階の判定がＯＫとされているので、ユーザは、１階部分の図面の作成を終えることとし、編集画面表示操作を行う（Ｓ１８）。すると、装置１は、レイアウトシート５４上の図面をレイアウトシート２５上に表示した（但し、避難経路は表示されない）編集画面を表示するので（Ｓ０１）、ユーザがその編集画面において保存操作を行うと（Ｓ０５）、装置１は、一時ファイルに保存されている図面情報（ここでは、図８に示す図面の図面情報であって扉４６の防煙性能が「第一号」とされたもの）、操作情報、及び、オブジェクトＩＤを、物件「○○ビル新築工事」の物件ファイルに保存する（Ｓ０６）。そして、ユーザが終了操作を行い（Ｓ０７）、「保存しない」を選択すると（Ｓ０８）、装置１は、編集画面を閉じて図面作成・検証処理を終える。物件ファイルに保存された操作情報とオブジェクトＩＤのイメージを、図１６に示す。
【００５９】
なお、編集画面に戻らずに、検証画面において終了ボタン５３をクリックする終了操作を行うと（Ｓ１９）、装置１は、「保存する」或いは「保存しない」を選択可能に表示し、保存するか否かの選択をユーザに求める（Ｓ２０）。ユーザが「保存する」を選択すると、装置１は、一時ファイルに保存されている図面情報、操作情報及びオブジェクトＩＤを、物件「○○ビル新築工事」の物件ファイルに保存して（Ｓ２１）、検証画面を閉じて図面作成・検証処理を終え、「保存しない」を選択すると、一時ファイル中の図面情報、操作情報及びオブジェクトＩＤを物件ファイルに保存せずに、検証画面を閉じて図面作成・検証処理を終える。
【００６０】
［操作記録出力処理］ユーザが、装置１において建築物設計支援プログラムを起動し、表示部１５に表示されたメニューから「開く」を選択して、開くファイルとして物件「○○ビル新築工事」の物件ファイルを指定すると、装置１は、物件「○○ビル新築工事」の物件ファイルから図面情報、操作情報及びオブジェクトＩＤを一時ファイルに読み出して、図面情報に基づいて編集画面を表示する。
【００６１】
ユーザが編集画面において操作レコードボタン２６をクリックすると、装置１は、物件「○○ビル新築工事」の物件ファイルに保存されている操作情報に基づいて（すなわち、物件ファイルから一時ファイルに読み出されている操作情報に基づいて）、図１４に示すように、編集画面上に操作レコードパネル７０を表示して、その操作レコードパネル７０のリスト部８１に操作記録を表示する（図３のステップＳ３１）。ここで、リスト部８１の横一行分が１つの操作記録（操作レコード）に相当し、１つの操作記録は一操作分の操作情報に基づいて作成されて、操作情報中の操作日時、階、名称、所属室、変更項目、変更前情報、変更後情報が、それぞれ、操作記録における操作日時、階、名称、所属室、変更項目、変更前情報、変更後情報とされて、欄７２、７３、７４、７５、７６、７７、７８に表示される。なお、操作記録のうち、階、名称、及び、所属室が、操作対象を示し、変更項目、変更前情報、及び、変更後情報が、操作内容を示すが、操作情報に入っていない情報（例えば、居室の配置操作の場合の所属室等）は、操作記録においても情報が存在しない。また、欄７９には、ユーザが備考を入力できる。すなわち、装置１により自動的に保存される操作情報に対して、ユーザは備考を付加して操作記録とすることができる。
【００６２】
なお、ここでは、ユーザは編集画面を表示させてから図面に変更を加えないまま操作記録を表示させたが、ユーザが図面に変更を加えてから操作記録を表示させた場合、物件ファイルから一時ファイルに読み出された操作情報の他に、図面の変更の際に一時ファイルに追加された操作情報も、操作記録の基とされ、その内容が表示される。
【００６３】
リスト部８１の各行には、チェックボックス７１が設けられており、ユーザはチェックボックス７１にチェックを入力することにより、操作記録を選択可能である。すなわち、操作記録は選択可能に表示されている。ユーザが、出力したい操作記録のチェックボックス７１にチェックを入力して、操作レコードパネル７０のメインメニュー８０の「ファイル」をクリックすることにより表示されるメニューから、「印刷」を選択して、装置１に接続されたプリンタ（図示せず）を指定する等の選択出力操作を行うと（Ｓ３２）、装置１は、指定されたプリンタに、チェックが入力された（すなわち、選択された）操作記録を出力する（Ｓ３３）。ここでは、ユーザは、2010年6月25日に行われた操作の操作記録であって、検証計算実行以外のものを印刷させるため、欄７２に表示された日付が2010年6月25日であって、変更項目が「検証計算実行」以外の操作記録にチェックを入力したとする。すると、装置１は、図１５に示すような操作記録リスト９０を、プリンタに出力して印刷させる。操作記録リスト９０には、操作レコードパネル７０において選択された操作記録のみが印刷される。したがって、ユーザは、2010年6月25日に行った設計変更の記録を、施主等に渡すことができる。なお、欄７９に入力された備考も操作記録リスト９０に印刷される。
【００６４】
また、操作記録の出力先としては、プリンタ以外のファイル等も指定可能であり、ファイルが指定されたときには、装置１は操作記録リスト９０をそのファイルに書き込む。したがって、ユーザは、電子データで設計変更の記録を施主等に渡すこともできる。
【００６５】
また、チェックをチェックボックス７１に入れることにより、操作記録を選択し、操作レコードパネル７０に設けられている削除ボタン８２をクリックすると、装置１は、選択された操作記録を操作レコードパネル７０から削除するとともに、選択された操作記録の基となった操作情報を、物件ファイルから削除する。
【００６６】
次に、ユーザが操作記録を表示させる構成要素を選択し、装置１がその構成要素についての操作記録のみを表示する処理について説明する。
【００６７】
ユーザは、編集画面において、操作記録を表示させたい構成要素を、その構成要素を示す図形上で左クリックを行うことにより選択し、さらにその図形上で右クリックを行う。すると、装置１は、図１７に示すように、その構成要素についてのメニュー４７を表示する。ユーザがメニュー４７から「履歴」をクリックにより選択すると、装置１は、選択された構成要素の図面情報に関連付けられているオブジェクトＩＤを参照して、物件ファイルから一時ファイルに読み出されている操作情報のうち、そのオブジェクトＩＤに関連付けられた操作情報に基づいて、図１８に示すように、編集画面上に操作レコードパネル７０を表示して、選択された構成要素についての操作記録のみを、リスト部８１に表示する（図３のステップＳ３１）。このように、装置１は、操作記録を表示させる構成要素を選択する構成要素選択操作（ここでは、構成要素を示す図形上での左クリック及び右クリックとメニュー４７からの「履歴」の選択）が可能とされ、構成要素選択操作により構成要素が選択されると、その構成要素を操作対象とする操作記録のみを表示する。
【００６８】
例えば図１７に示すように、居室４１に対して構成要素選択操作が行われると、装置１は、居室４１のオブジェクトＩＤ「０００１」に関連付けられた操作情報に基づいて、図１８に示すように、居室４１の操作記録のみを表示する。そして、ユーザが、出力したい操作記録のチェックボックス７１にチェックを入力して、上述したように選択出力操作を行うと（Ｓ３２）、装置１は、指定されたプリンタに、選択された操作記録を出力する（Ｓ３３）。
【００６９】
以上説明したように、装置１は、入力部１１を用いたユーザの操作に応じて、設計対象である建築物の構成要素を表示部１５に図形で表示することにより、表示部１５上に建築物の図面を作成する図面作成手段と（上記ステップＳ０２、Ｓ０３参照）、１以上の構成要素を操作対象とする操作のうち所定種類の操作について、操作対象を示す情報と操作内容を示す情報とを含む操作情報を、記憶部１３にテキストデータで保存する操作情報保存手段と（上記ステップＳ０４、Ｓ０６、Ｓ０９、Ｓ１７、Ｓ２１参照）、記憶部１３に保存されている操作情報に基づいて、操作対象と操作内容とを示す操作記録を表示部１５に表示する操作記録表示手段と（上記ステップＳ３１参照）を有している。すなわち、装置１によれば、ユーザが行った所定種類の操作について、その操作情報が自動的にテキストデータで保存され、その操作情報に基づく操作記録が表示されるので、設計変更の記録を容易に残すことができて、その記録を閲覧することができるとともに、テキストデータは文字コードのみからなるデータであることから、少ないデータ量で設計変更の記録を残すことができる。
【００７０】
また、装置１は、ユーザが構成要素選択操作により操作記録を表示させたい構成要素を選択可能であり、構成要素選択操作により構成要素が選択されると、その構成要素を操作対象とする操作記録のみを表示（さらには出力）するので、所望の構成要素についてのみの操作記録（操作履歴）を追うことができ、利便性が高い。
【００７１】
また、装置１は、操作記録表示手段が操作記録を選択可能に表示するとともに、選択された操作記録を出力する操作記録出力手段（上記ステップＳ３３参照）を有しているので、操作記録のうち必要なもののみを印刷出力したり、ファイルに出力したりすることができて、必要な記録のみを施主等に渡すことができる。
【００７２】
なお、上記実施形態では、装置１をスタンドアロン型として構成したが、サーバであるコンピュータとクライアントであるコンピュータとが互いに接続されたサーバ・クライアント型のコンピュータシステムとして構成してもよい。かかる構成例としては、例えば、サーバの記憶部に物件ファイルを格納しておき、各クライアントにおいてサーバの記憶部に記憶された物件ファイルを読み出して、図面を作成する形態がある。このように、装置１は、単数のコンピュータから構成されるものとは限らず、複数のコンピュータから構成してもよい。
【００７３】
また、装置１を、例えば図２のステップＳ１０〜２１の動作は行わないように構成する等、建築物の図面は作成するが、検証は行わない装置として構成してもよい。
【００７４】
また、検証画面においても、編集画面と同様に、構成要素の配置、削除、移動、変形の各操作が行えるように構成してもよい。
【００７５】
また、要記録操作についても、検証計算実行操作を含めなかったり、フォント（詳細情報をレイアウトシート２５、５４に表示するときのフォント）の変更操作を含めたりする等、適宜変更可能である。
【００７６】
また、一時ファイルを用いずに、直接物件ファイルに図面情報、操作情報、及び、オブジェクトＩＤを書き込んだり、直接物件ファイル内のそれらの情報を参照して、図面や操作記録を表示したりするようにしてもよい。
【符号の説明】
【００７７】
１…建築物設計支援装置
１１…入力部
１３…記憶部
１５…表示部
【図１】
2012038084.tif 000003
【図２−１】
2012038084.tif 000004
【図２−２】
2012038084.tif 000005
【図３】
2012038084.tif 000006
【図４】
2012038084.tif 000007
【図５】
2012038084.tif 000008
【図６】
2012038084.tif 000009
【図７】
2012038084.tif 000010
【図８】
2012038084.tif 000011
【図９】
2012038084.tif 000012
【図１０】
2012038084.tif 000013
【図１１】
2012038084.tif 000014
【図１２】
2012038084.tif 000015
【図１３】
2012038084.tif 000016
【図１４】
2012038084.tif 000017
【図１５】
2012038084.tif 000018
【図１６】
2012038084.tif 000019
【図１７】
2012038084.tif 000020
【図１８】
2012038084.tif 000021